(57)【要約】【課題】再生（トレース）回数が相当数に達しても、記録マークの再生特性を良好な状態に維持できる、光ディスクおよび光ディスク装置を提供する。【解決手段】光ディスク１００には、リードイン領域に補正係数νが保持されている。この補正係数νは、光ディスク１００の装着時に読み取られ、コントローラ１１１の内蔵メモリに格納される。ＯＰＣ動作時、コントローラ１１１は、光ディスク１００に試し書きを行って、ＰＲＳＮＲが最良となる記録レーザパワーＰｍａｘを求める。さらに、求めた記録レーザパワーＰｍａｘに補正係数νを乗じて、当該ディスクに対する記録レーザパワーＰｐｏｔを設定する。補正係数νは、記録マークのトレース回数に対する耐性を引き上げるよう、記録レーザパワーＰｍａｘを補正する。よって、記録レーザパワーＰｏｐｔで記録を行うと、記録マークのトレース回数に対する耐性が引き上げられる。【選択図】図１
2008027501.tif 000002
【特許請求の範囲】
【請求項１】
制御データを予め保持する制御データエリアと、
主データを記録可能な主データエリアと、
記録レーザパワーの設定の際に試し書きが行われる試し書きエリアとを備え、
前記制御データエリアには、前記試し書きエリアに試し書きを行うことにより記録特性が最良となるものとして求められた記録レーザパワーＰｍａｘを補正して、当該光ディスクに対して記録を行う際の記録レーザパワーＰｏｐｔを設定するための補正情報が保持されている、
ことを特徴とする光ディスク。
【請求項２】
請求項１において、
前記補正情報は、記録マークのトレース回数に対する耐性を引き上げるよう、前記記録レーザパワーＰｍａｘを補正する情報である、
ことを特徴とする光ディスク。
【請求項３】
請求項１または２において、
前記補正情報は、前記記録レーザパワーＰｍａｘに乗じて前記記録レーザパワーＰｏｐｔを算出するための補正係数νである、
ことを特徴とする光ディスク。
【請求項４】
請求項３において、
前記補正係数νは、１未満の値に設定されている、
ことを特徴とする光ディスク。
【請求項５】
制御データを予め保持する制御データエリアと、主データを記録可能な主データエリアと、記録レーザパワーの設定の際に試し書きが行われる試し書きエリアとを備え、前記制御データエリアには、前記試し書きエリアに試し書きを行うことにより記録特性が最良となるものとして求められた記録レーザパワーＰｍａｘを補正して、当該光ディスクに対して記録を行う際の記録レーザパワーＰｏｐｔを設定するための補正情報が保持されている光ディスクに対し前記主データを記録する光ディスク装置であって、
前記補正情報を取得する補正情報取得手段と、
前記試し書きエリアに試し書きを行って記録特性が最良となる前記記録レーザパワーＰｍａｘを求めるパワー取得手段と、
前記パワー取得手段にて求められた前記記録レーザパワーＰｍａｘを前記補正情報取得手段にて取得された補正情報に基づいて補正して当該光ディスクに対して記録を行う際の前記記録レーザパワーＰｏｐｔを設定するパワー設定手段とを有する、
ことを特徴とする光ディスク装置。
【請求項６】
請求項５において、
前記補正情報は、前記記録レーザパワーＰｍａｘに乗じて前記記録レーザパワーＰｏｐｔを算出するための補正係数νであり、
前記パワー設定手段は、Ｐｏｐｔ ＝ Ｐｍａｘ × ν を演算して、前記記録レーザパワーＰｏｐｔを設定する、
ことを特徴とする光ディスク装置。
【請求項７】
請求項５または６において、
前記パワー取得手段は、前記試し書きエリアに対する試し書きの結果から、当該ディスクについて再生データのＰＲＳＮＲが最良となる記録レーザパワーを、前記記録レーザパワーＰｍａｘとして求める、
ことを特徴とする光ディスク装置。
【請求項８】
請求項５または６において、
前記パワー取得手段は、前記試し書きエリアに対する試し書きの結果から、当該ディスクについて再生エラーレートが最良となる記録レーザパワーを、前記記録レーザパワーＰｍａｘとして求める、
ことを特徴とする光ディスク装置。
【請求項９】
制御データを予め保持する制御データエリアと、主データを記録可能な主データエリアと、記録レーザパワーの設定の際に試し書きが行われる試し書きエリアとを備え、前記制御データエリアには、前記試し書きエリアに試し書きを行うことにより記録特性が最良となるものとして求められた記録レーザパワーＰｍａｘを補正して、当該光ディスクに対して記録を行う際の記録レーザパワーＰｏｐｔを設定するための補正情報が保持されている光ディスクに対し前記主データを記録する光ディスク装置であって、
光ピックアップと、
前記光ディスクに対して記録を行う記録回路と、
前記光ディスクからデータを再生する再生回路と、
前記光ピックアップ、記録回路および再生回路を制御するコントローラを備え、
前記コントローラは、
前記補正情報を取得する補正情報取得処理と、
前記試し書きエリアに試し書きを行って記録特性が最良となる前記記録レーザパワーＰｍａｘを求めるパワー取得処理と、
前記パワー取得処理にて求められた前記記録レーザパワーＰｍａｘを前記補正情報取得処理にて取得された補正情報に基づいて補正して当該光ディスクに対して記録を行う際の前記記録レーザパワーＰｏｐｔを設定するパワー設定処理とを実行する、
ことを特徴とする光ディスク装置。
【請求項１０】
請求項９において、
前記補正情報は、前記記録レーザパワーＰｍａｘに乗じて前記記録レーザパワーＰｏｐｔを算出するための補正係数νであり、
前記パワー設定処理は、Ｐｏｐｔ ＝ Ｐｍａｘ × ν を演算して、前記記録レーザパワーＰｏｐｔを設定する、
ことを特徴とする光ディスク装置。
【請求項１１】
請求項９または１０において、
前記パワー取得処理は、前記試し書きエリアに対する試し書きの結果から、当該ディスクについて再生データのＰＲＳＮＲが最良となる記録レーザパワーを、前記記録レーザパワーＰｍａｘとして求める処理を含む、
ことを特徴とする光ディスク装置。
【請求項１２】
請求項９または１０において、
前記パワー取得処理は、前記試し書きエリアに対する試し書きの結果から、当該ディスクについて再生エラーレートが最良となる記録レーザパワーを、前記記録レーザパワーＰｍａｘとして求める処理を含む、
ことを特徴とする光ディスク装置。
【発明の詳細な説明】
【技術分野】
【０００１】
本発明は、光ディスクおよび光ディスク装置に関し、特に、記録レーザパワーの設定手法として用いて好適なものである。
【背景技術】
【０００２】
現在商品化が進められているＨＤ ＤＶＤ−Ｒ（High Definition Digital Versatile Disc - Recordable）では、既存のＣＤ−Ｒ（Compact Disc - Recordable）やＤＶＤ−Ｒ（Digital Versatile Disc - Recordable）と同様、予め設定された試し書きエリアに試し書きを行って、記録レーザパワーの初期設定が行われる。
【０００３】
ここで、記録レーザパワーは、通常、記録特性が最も良好となるパワーに初期設定される。たとえば、ＨＤ ＤＶＤ−Ｒでは、ＰＲＳＮＲ（Partial Response Signal to Noise Ratio）が最大となる記録レーザパワーまたは再生エラーレートが最小となる記録レーザパワーが、そのディスクに対する記録レーザパワーとして設定される。
【０００４】
なお、以下の特許文献１には、試し書き領域を再生したときの再生エラーレートに基づいて記録レーザパワーを初期設定する手法が記載されている。
【特許文献１】特開平７−２２０２８０号公報
【発明の開示】
【発明が解決しようとする課題】
【０００５】
しかし、上記の如く記録特性が最良となるパワーにて記録を行った場合には、その記録領域に対する再生（トレース）回数が増加するに従って、徐々に、再生特性が劣化し、ＨＤ ＤＶＤ規格等において求められている再生回数まで、所望の再生特性を維持できないことが発明者によって検証された。
【０００６】
たとえば、ＨＤ ＤＶＤ規格では、１００万回再生を繰り返しても再生データのＰＲＳＮＲが１５を下回らないことが求められている。しかし、発明者が検証したところ、試し書きによってＰＲＳＮＲが最大になるとして求められた記録レーザパワーにてそのＨＤ ＤＶＤ−Ｒに記録を行うと、再生回数が５０万回程度に達したときに、再生データのＰＲＳＮＲが、規格で求めるＰＲＳＮＲ≧１５を満たさなくなることが確認された。
【０００７】
これは、記録層を構成する色素材料や記録層の膜特性等に起因するものと思われ、記録特性が最良となるパワーにて記録を行っても、そのパワーは、再生（トレース）回数の観点からは、再生（トレース）の際に記録層に何らかの劣化ないし悪影響を生じさせる程度のものになっていると考えられる。
【０００８】
本発明は、このような問題を解消するためになされたものであり、再生（トレース）回数が相当数に達しても、記録マークの再生特性を良好な状態に維持できる、光ディスクおよび光ディスク装置を提供することを課題とする。
【課題を解決するための手段】
【０００９】
上記課題に鑑み本発明は、以下の特徴を有する。
【００１０】
請求項１の発明は、光ディスクにおいて、制御データを予め保持する制御データエリアと、主データを記録可能な主データエリアと、記録レーザパワーの設定の際に試し書きが行われる試し書きエリアとを備え、前記制御データエリアには、前記試し書きエリアに試し書きを行うことにより、記録特性が最良となるものとして求められた記録レーザパワーＰｍａｘを補正して、当該光ディスクに対して記録を行う際の記録レーザパワーＰｏｐｔを設定するための補正情報が保持されていることを特徴とする。
【００１１】
請求項２の発明は、請求項１に記載の光ディスクにおいて、前記補正情報は、記録マークのトレース回数に対する耐性を引き上げるよう、前記記録レーザパワーＰｍａｘを補正する情報であることを特徴とする。
【００１２】
請求項３の発明は、請求項１または２に記載の光ディスクにおいて、前記補正情報は、前記記録レーザパワーＰｍａｘに乗じて前記記録レーザパワーＰｏｐｔを算出するための補正係数νであることを特徴とする。
【００１３】
請求項４の発明は、請求項３に記載の光ディスクにおいて、前記補正係数νは、１未満の値に設定されていることを特徴とする。
【００１４】
請求項５の発明は、制御データを予め保持する制御データエリアと、主データを記録可能な主データエリアと、記録レーザパワーの設定の際に試し書きが行われる試し書きエリアとを備え、前記制御データエリアには、前記試し書きエリアに試し書きを行うことにより記録特性が最良となるものとして求められた記録レーザパワーＰｍａｘを補正して、当該光ディスクに対して記録を行う際の記録レーザパワーＰｏｐｔを設定するための補正情報が保持されている光ディスクに対し前記主データを記録する光ディスク装置であって、前記補正情報を取得する補正情報取得手段と、前記試し書きエリアに試し書きを行って記録特性が最良となる前記記録レーザパワーＰｍａｘを求めるパワー取得手段と、前記パワー取得手段にて求められた前記記録レーザパワーＰｍａｘを前記補正情報取得手段にて取得された補正情報に基づいて補正して当該光ディスクに対して記録を行う際の前記記録レーザパワーＰｏｐｔを設定するパワー設定手段とを有することを特徴とする。
【００１５】
請求項６の発明は、請求項５に記載の光ディスク装置において、前記補正情報は、前記記録レーザパワーＰｍａｘに乗じて前記記録レーザパワーＰｏｐｔを算出するための補正係数νであり、前記パワー設定手段は、Ｐｏｐｔ ＝ Ｐｍａｘ × ν を演算して、前記記録レーザパワーＰｏｐｔを設定することを特徴とする。
【００１６】
請求項７の発明は、請求項５または６に記載の光ディスク装置において、前記パワー取得手段は、前記試し書きエリアに対する試し書きの結果から、当該ディスクについて再生データのＰＲＳＮＲが最良となる記録レーザパワーを、前記記録レーザパワーＰｍａｘとして求めることを特徴とする。
【００１７】
請求項８の発明は、請求項５または６に記載の光ディスク装置において、前記パワー取得手段は、前記試し書きエリアに対する試し書きの結果から、当該ディスクについて再生エラーレートが最良となる記録レーザパワーを、前記記録レーザパワーＰｍａｘとして求めることを特徴とする。
【００１８】
請求項９の発明は、制御データを予め保持する制御データエリアと、主データを記録可能な主データエリアと、記録レーザパワーの設定の際に試し書きが行われる試し書きエリアとを備え、前記制御データエリアには、前記試し書きエリアに試し書きを行うことにより、記録特性が最良となるものとして求められた記録レーザパワーＰｍａｘを補正して、当該光ディスクに対して記録を行う際の記録レーザパワーＰｏｐｔを設定するための補正情報が保持されている光ディスクに対し前記主データを記録する光ディスク装置であって、光ピックアップと、前記光ディスクに対して記録を行う記録回路と、前記光ディスクからデータを再生する再生回路と、前記光ピックアップ、記録回路および再生回路を制御するコントローラを備え、前記コントローラは、前記補正情報を取得する補正情報取得処理と、前記試し書きエリアに試し書きを行って記録特性が最良となる前記記録レーザパワーＰｍａｘを求めるパワー取得処理と、前記パワー取得処理にて求められた前記記録レーザパワーＰｍａｘを前記補正情報取得処理にて取得された補正情報に基づいて補正して当該光ディスクに対して記録を行う際の前記記録レーザパワーＰｏｐｔを設定するパワー設定処理を実行することを特徴とする。
【００１９】
請求項１０の発明は、請求項９に記載の光ディスク装置において、前記補正情報は、前記記録レーザパワーＰｍａｘに乗じて前記記録レーザパワーＰｏｐｔを算出するための補正係数νであり、前記パワー設定処理は、Ｐｏｐｔ ＝ Ｐｍａｘ × ν を演算して、前記記録レーザパワーＰｏｐｔを設定することを特徴とする。
【００２０】
請求項１１の発明は、請求項９または１０に記載の光ディスク装置において、前記パワー取得処理は、前記試し書きエリアに対する試し書きの結果から、当該ディスクについて再生データのＰＲＳＮＲが最良となる記録レーザパワーを、前記記録レーザパワーＰｍａｘとして求める処理を含むことを特徴とする。
【００２１】
請求項１２の発明は、請求項９または１０に記載の光ディスク装置において、前記パワー取得処理は、前記試し書きエリアに対する試し書きの結果から、当該ディスクについて再生エラーレートが最良となる記録レーザパワーを、前記記録レーザパワーＰｍａｘとして求める処理を含むことを特徴とする。
【発明の効果】
【００２２】
本発明によれば、試し書きによって取得された記録特性が最良となる記録レーザパワーＰｍａｘを、光ディスクから取得された補正情報をもとに補正して、当該光ディスクに対する記録レーザパワーＰｏｐｔが設定される。ここで、補正情報は、記録マークのトレース回数に対する耐性を引き上げるよう、前記記録レーザパワーＰｍａｘを補正する情報である。よって、得られた記録レーザパワーＰｏｐｔで記録を行うと、記録レーザパワーＰｍａｘで記録を行う場合に比べ、記録マークのトレース回数に対する耐性が引き上げられる。
【００２３】
本発明の特徴ないし効果は、以下に示す実施の形態の説明により更に明らかとなろう。なお、以下の実施の形態には、本発明の効果を明らかにする検証例（図６）が示されている。ただし、以下の実施の形態は、本発明を実施化する際の一つの例示であって、本発明ないし各構成要件の用語の意義は、以下の実施の形態に記載されたものに制限されるものではない。
【発明を実施するための最良の形態】
【００２４】
以下、本発明の実施の形態につき図面を参照して説明する。本実施の形態は、青紫レーザ光を用いたＨＤ ＤＶＤ−Ｒおよびそのドライブ装置に本発明を適用したものである。
【００２５】
図１に、光ディスク（ＨＤ ＤＶＤ−Ｒ）１００の構成を示す。
【００２６】
同図に示す如く、光ディスク１００は、基板１１上に記録層１２、反射層１３および保護層１４を形成し、さらに、この保護層１４上に接着層１５を介して基板１６を貼り合わせることにより形成される。なお、記録層１２は、所定の色素材料から構成されている。
【００２７】
記録層１２には、内周から外周に向かって螺旋状のトラック（グルーブ）が形成されており、このトラックに対してデータの記録再生が行われる。このトラックは、ディスク径方向に蛇行（ウォブル）しており、このウォブルによってアドレス情報が保持されている。すなわち、ＡＤＩＰ（Address in pre-groove）と呼ばれる位相変調区間が、単調蛇行区間中に一定周期で挿入されており、かかる位相変調区間をビームが走査するとき、その反射光強度の変化からトラック上のアドレス情報が読み取られ再生される。
【００２８】
また、システムリードイン（ＳＬＩ）のＰＦＩ（Physical Format Information）には、当該ディスクに対する種々の制御データ（リードイン情報）がピットで記録されている。このリードイン情報中に、記録レーザパワーを調整するための補正係数νが含まれている。
【００２９】
この補正係数νは、当該ディスクに対して最良の記録特性を与える記録レーザパワーＰｍａｘをさらに補正して、当該ディスクに対する記録レーザパワーを設定する際に用いられる。本実施の形態では、記録レーザパワーの設定に際し、まず、ディスク上の試し書きエリアに試し書きが行われ、ＰＲＳＮＲ（Partial Response Signal to Noise Ratio）が最大となる記録レーザパワーＰｍａｘが求められる。そして、このＰｍａｘに補正係数νを乗じて、当該ディスクに対する記録レーザパワーPｏｐｔが設定される。
【００３０】
ここで、補正係数νは、記録レーザパワーPｏｐｔが記録レーザパワーＰｍａｘよりも所定の割合だけ小さくなるような値（たとえば、０．９前後）に設定される。ここで、補正係数νの値は、たとえば、規格に応じた回数（ＨＤ ＤＶＤ−Ｒでは１００万回）まで再生（トレース）を繰り返しても、記録信号のＰＲＳＮＲが規格上のリミット値（ＰＲＳＮＲ＝１５）を下回らないような値に設定される。この補正係数νの値は、記録層１２を構成する色素材料や記録層１２の膜厚等に基づいて、メーカサイドにおいて設定される。具体的には、補正係数νを変化させながら対象ディスクに記録を行い、その再生回数（トレース回数）とＰＲＳＮＲの関係を検証して、対象ディスクに最も好ましいとされる補正係数νが設定される。
【００３１】
図２に、光ディスク１００のエリアフォーマットを示す。
【００３２】
図示の如く、ディスク１００は、その径方向に、システムリードインエリア、データリードインエリア、データエリア、データリードアウトエリアに領域分割されている。さらに、データリードインエリアとデータリードアウトエリアは種々のゾーンに区分されており、このうち、インナードライブテストゾーンおよびアウタードライブテストゾーンを用いて、上述の記録レーザパワーの初期設定（ＯＰＣ：Optimum Write Power Control）が行われる。
【００３３】
図３に、実施の形態に係る光ディスク装置の構成を示す。
【００３４】
図示の如く、光ディスク装置は、エンコーダ１０１と、変調回路１０２と、レーザ駆動回路１０３と、レーザパワー調整回路１０４と、光ピックアップ１０５と、信号増幅回路１０６と、復調回路１０７と、デコーダ１０８と、サーボ回路１０９と、ＡＤＩＰ再生回路１１０と、コントローラ１１１から構成されている。
【００３５】
エンコーダ１０１は、入力された記録データに対し誤り訂正符号の付加等のエンコード処理を施し、変調回路１０２へと出力する。変調回路１０２は、入力された記録データに所定の変調を施し、さらに記録信号を生成してレーザ駆動回路１０３に出力する。レーザ駆動回路１０３は、記録時には変調回路１０２からの記録信号に応じた駆動信号を半導体レーザ１０５ａに出力し、再生時には一定強度のレーザ光を出射するための駆動信号を半導体レーザ１０５ａに出力する。ここで、レーザパワーは、レーザパワー調整回路１０４によって調整・設定されたレーザパワーに設定される。
【００３６】
レーザパワー調整回路１０４は、コントローラ１１１から入力される設定値に応じて、記録および再生時のレーザパワーを設定する。また、信号増幅回路１０６から入力される再生信号に応じて、コントローラ１１１から入力された記録レーザパワーの設定値を調整する（Ｒ−ＯＰＣ：Running-OPC）。
【００３７】
光ピックアップ１０５は、半導体レーザ１０５ａおよび光検出器１０５ｂを備え、レーザ光をグルーブ上に収束させることにより、ディスクに対するデータの書き込み／読み出しを行う。なお、光ピックアップ１０５は、この他、グルーブに対するレーザ光の照射状態を調整するための対物レンズアクチュエータと、半導体レーザ１０５ａから出射されたレーザ光を対物レンズに導き、且つ、ディスク１００からの反射光を光検出器１０５ｂに導くための光学系等を備えている。
【００３８】
信号増幅回路１０６は、光検出器１０５ｂから受信した信号を増幅および演算処理して各種信号を生成し、これを対応する回路に出力する。復調回路１０７は、信号増幅回路１０６から入力された再生ＲＦ信号を復調して再生データを生成し、デコーダ１０８に出力する。デコーダ１０８は、復調回路１０７から入力されたデータに対し誤り訂正等のデコード処理を施し、後段回路に出力する。
【００３９】
サーボ回路１０９は、信号増幅回路１０６から入力されたフォーカスエラー信号およびトラッキングエラー信号からフォーカスサーボ信号およびトラッキングサーボ信号を生成し、光ピックアップ１０５の対物レンズアクチュエータに出力する。また、信号増幅回路１０６から入力されたウォブル信号からモータサーボ信号を生成し、ディスク駆動モータに出力する。
【００４０】
ＡＤＩＰ再生回路１１０は、信号増幅回路１０６から入力されたウォブル信号からアドレス情報等を再生し、これらをコントローラ１１１に出力する。
【００４１】
コントローラ１１１は、内蔵メモリに各種データを格納するとともに、あらかじめ設定されたプログラムに従って、各部を制御する。なお、コントローラ１１１には、最初の試し書き（ＯＰＣ）の際に用いるレーザパワーが保持されている。
【００４２】
図４に、ＯＰＣ時における処理動作フローを示す。
【００４３】
ディスクが装着されると、システムリードイン領域のＰＦＩが読み取られ、コントローラ１１１の内蔵メモリに格納される（Ｓ１０１）。しかる後、ＯＰＣが開始されると（Ｓ１０２：Ｙ）、コントローラ１１１は、光ピックアップ１０５を試し書きエリア（インナードライブテストゾーン／アウタードライブテストゾーン）に移動させ（Ｓ１０３）、内蔵メモリに保持したパワーにて、当該試し書きエリアに最初の試し書きを行う（Ｓ１０４、１０５）。しかして、最初の試し書きが終了すると、コントローラ１１１は、試し書きエリアに記録した信号を読み出し、そのときの復調データから、ＰＲＳＮＲを測定する（Ｓ１０６）。
【００４４】
次に、コントローラ１１１は、光ピックアップ１０５を次の試し書きエリアに移動させ（Ｓ１０３）、最初の試し書き時のパワーとは異なるパワーにて、当該試し書きエリアに２回目の試し書きを行う（Ｓ１０４、１０５）。なお、２回目の試し書き時のパワーは、１回目の試し書き時に設定したパワーとそのときのＰＲＳＮＲの大きさに基づいて設定される。しかして、２回目の試し書きが終了すると、コントローラ１１１は、試し書きエリアに記録した信号を読み出し、そのときの復調データから、ＰＲＳＮＲを測定する（Ｓ１０６）。
【００４５】
しかる後、コントローラ１１１は、光ピックアップ１０５をさらに次の試し書きエリアに移動させ（Ｓ１０３）、１回目および２回目の試し書き時のパワーとは異なるパワーにて、当該試し書きエリアに３回目の試し書きを行う（Ｓ１０４、１０５）。なお、３回目の試し書き時のパワーは、１回目および２回目の試し書き時に設定したパワーとそのときのＰＲＳＮＲの大きさに基づいて設定される。しかして、２回目の試し書きが終了すると、コントローラ１１１は、試し書きエリアに記録した信号を読み出し、そのときの復調データから、ＰＲＳＮＲを測定する（Ｓ１０６）。
【００４６】
試し書きの回数ＮがＮ＝３に設定されている場合、コントローラ１１１は、３回目の試し書きとそれに基づくＰＲＳＮＲの測定終了に応じて（Ｓ１０７：Ｙ）、記録レーザパワーとＰＲＳＮＲの関係を規定するＰＲＳＮＲ特性を求め（Ｓ１０８）、求めたＰＲＳＮＲ特性から、ＰＲＳＮＲが最大となるときの記録レーザパワーＰｍａｘを求める（Ｓ１０９）。さらに、コントローラ１１１は、Ｓ１０１にてディスクから取得した補正係数νを、Ｓ１０９にて求めたＰｍａｘに乗じ、当該ディスクに対する記録レーザパワーＰｏｐｔを取得する（Ｓ１１０）。
【００４７】
図５は、上記Ｓ１０８〜Ｓ１１０の流れを示す図である。
【００４８】
ディスクに対するＰＲＳＮＲ特性は、通常、同図（ａ）のような波形となる。上記Ｓ１０８では、この波形上の３点から、同図（ｂ）に示す近似曲線が算出される。次に、上記Ｓ１０９にて、この近似曲線から、ＰＲＳＮＲが最大となるときの記録レーザパワーＰｍａｘが求められる。そして、上記Ｓ１１０にて、記録レーザパワーＰｍａｘに補正係数νが乗じられ、当該ディスクに対する記録レーザパワーＰｏｐｔが求められる。
【００４９】
図４に戻り、しかして記録レーザパワーＰｏｐｔが求められると、コントローラ１１１は、光ピックアップ１０５を試し書きエリアに移動させ（Ｓ１１１）、Ｓ１１０で求めた記録レーザパワーＰｏｐｔにて、当該試し書きエリアに試し書きを行う（Ｓ１１２）。さらに、コントローラ１１１は、当該試し書きエリアに記録した信号を読み出し、そのときの復調データから、ＰＲＳＮＲを測定する（Ｓ１１３）。
【００５０】
ここで、測定したＰＲＳＮＲが予め設定した閾値以上（たとえば、ＰＲＳＮＲ≧２０）であれば（Ｓ１１４：Ｙ）、コントローラ１１１は、Ｓ１１０にて取得した記録レーザパワーＰｏｐｔを当該ディスクに対する記録レーザパワーの初期値に設定する(Ｓ１１５)。他方、測定したＰＲＳＮＲが予め設定した閾値未満（たとえば、ＰＲＳＮＲ≧２０）であれば（Ｓ１１４：Ｎ）、Ｓ１１０にて取得した記録レーザパワーＰｏｐｔを破棄し、再度、Ｓ１０３以降の処理を実行して、新たに記録レーザパワーＰｏｐｔを求める。
【００５１】
なお、記録レーザパワーＰｏｐｔの取得処理を所定回数繰り返しても、Ｓ１１４における判別がＹＥＳとならない場合、コントローラ１１１は、当該ディスクは不良ディスクであるとして、ＯＰＣ処理を中止する。この際、コントローラ１１１は、スピーカ（図示せず）等の報知手段を介して、当該ディスクが不良ディスクであることをユーザに報知する。
【００５２】
図６は、ディスクメーカＡのＨＤ ＤＶＤ−Ｒに対し記録レーザパワーＰｍａｘとＰｏｐｔにて実際に記録を行ったときの、再生回数（トレース回数）に対するＰＲＳＮＲの変化を実測した検証結果である。なお、この検証は、記録マークの形成によって反射率が上昇する、いわゆるLow-to-HighタイプのＨＤ ＤＶＤ−Ｒについて行った。また、補正係数νは、ν＝０．９に設定した。同図の横軸は、再生回数（トレース回数）、縦軸はＰＲＳＮＲである。
【００５３】
図示の如く、再生回数が少ない間は、記録レーザパワーＰｍａｘ（ＰＲＳＮＲが最大となるパワー）にて記録を行った方が、Ｐｍａｘに補正係数ν（ν＝０．９）を乗じたパワーにて記録を行うよりも、高いＰＲＳＮＲが得られることが分かる。しかし、再生を重ねるに従って徐々に両者のＰＲＳＮＲが接近し、再生回数が２０万回を超えるころには、Ｐｍａｘに補正係数ν（ν＝０．９）を乗じたパワーにて記録を行った方が、ＰＲＳＮＲが高くなる。さらに、再生回数が５０万回を超えると、記録レーザパワーＰｍａｘによる記録では、ＰＲＳＮＲが規格上のリミットであるＰＲＳＮＲ≧１５を満たさなくなる。
【００５４】
これに対し、Ｐｍａｘに補正係数νを乗じたパワーにて記録を行った場合には、再生回数が７０万回程度に達しても、再生当初とＰＲＳＮＲは殆ど変わらず、さらに、再生回数が１００万回を超えても、ＰＲＳＮＲが規格上のリミットであるＰＲＳＮＲ≧１５を満たしている。また、再生回数が少ない間も、一般に良好な再生を行えるとされるＰＲＳＮＲ≧２０を満たしているので、良好な再生特性を実現できる。
【００５５】
この検証から明らかなとおり、本実施の形態によれば、記録レーザパワーＰｍａｘ（ＰＲＳＮＲが最大となるパワー）にて記録を行う場合よりも、再生回数に対する記録データの信頼性を高く維持することができる。本実施の形態によれば、規格が求める回数（１００万回）だけ再生を繰り返しても、ＰＲＳＮＲが、規格が求めるリミットを下回ることはない。また、再生を相当回数繰り返しても、ＰＲＳＮＲは殆ど低下せず、良好な再生特性を維持できる。したがって、本実施の形態によれば、良好且つ安定した記録再生特性を実現することができる。
【００５６】
以上、本発明の実施形態について説明したが、本発明は、上記実施形態に限定されるものではない。
【００５７】
なお、上記実施の形態では、ＰＲＳＮＲをもとに記録レーザパワーＰｍａｘを求めたが、これ以外の方法により、記録レーザパワーＰｍａｘを求めることもできる。
【００５８】
図７は、再生データのエラーレートをもとに記録レーザパワーＰｍａｘを求める場合の処理フローチャートである。このフローチャートでは、図４におけるＳ１０６、Ｓ１０８、Ｓ１０９、Ｓ１１３およびＳ１１４が、それぞれ、Ｓ１２１、Ｓ１２２、Ｓ１２３、Ｓ１２４およびＳ１２５に置き換えられている。
【００５９】
Ｓ１２１では、試し書きエリアを再生したときのエラーレートがデコーダ１０８からコントローラ１１１に供給される。Ｓ１２２では、Ｎ回の試し書きにて取得されたＮ個のエラーレートをもとに、記録レーザパワーとエラーレートの関係を規定する近似曲線が、コントローラ１１１にて求められる。Ｓ１２３では、Ｓ１２２で求めた近似曲線からエラーレートが最小となる記録レーザパワーＰｍａｘが、コントローラ１１１にて求められる。
【００６０】
しかる後、コントローラ１１１は、図４の場合と同様、Ｓ１０１にてディスクから取得した補正係数νを、Ｓ１２３にて求めたＰｍａｘに乗じ、当該ディスクに対する記録レーザパワーＰｏｐｔを取得する。そして、コントローラ１１１は、光ピックアップ１０５を試し書きエリアに移動させ（Ｓ１１１）、Ｓ１１０で求めた記録レーザパワーＰｏｐｔにて、当該試し書きエリアに試し書きを行い（Ｓ１１２）、さらに、当該試し書きエリアに記録した信号を読み出して、そのときのエラーレートをデコーダ１０８から取得する（Ｓ１２４）。
【００６１】
ここで、取得したエラーレートが予め設定した閾値以下であれば（Ｓ１２５：Ｙ）、コントローラ１１１は、Ｓ１１０にて取得した記録レーザパワーＰｏｐｔを当該ディスクに対する記録レーザパワーの初期値に設定する(Ｓ１１５)。他方、取得したエラーレートが予め設定した閾値未満であれば（Ｓ１２５：Ｎ）、Ｓ１１０にて取得した記録レーザパワーＰｏｐｔを破棄し、再度、Ｓ１０３以降の処理を実行して、新たに記録レーザパワーＰｏｐｔを求める。
【００６２】
図７の処理フローにおいても、上記図４の場合と同様の効果が奏される。エラーレートをもとに記録レーザパワーＰｍａｘとＰｏｐｔを設定する場合の検証は行っていないが、補正係数νを適正に設定することにより、図６の場合と同様の結果が得られるものと期待される。
【００６３】
この他、上記実施の形態では、ＨＤ ＤＶＤ−Ｒを例に説明を行ったが、本発明は、書き換え可能なＨＤ ＤＶＤ−ＲＷ（ＨＤ ＤＶＤ-ReRecordable）やブルーレイディスク等のその他の追記型ディスク、書き換え型ディスクおよびそのドライブ装置にも適用可能である。また、図６の検証は、Low-to-HighタイプのＨＤ ＤＶＤ−Ｒについて行ったが、本発明は、この種の光ディスクに制限されるものではなく、記録マークの形成によって反射率が低下する、いわゆるHigh-to-Lowタイプの光ディスクにも適用可能である。さらに、上記実施の形態では、記録レーザパワーＰｍａｘを求める際の評価基準としてＰＲＳＮＲまたはエラーレートを用いる例を示したが、これらに限らず、ジッターやＣＮ等の他の評価基準をもとに記録レーザパワーＰｍａｘを求めるようにすることもできる。
【００６４】
本発明の実施の形態は、特許請求の範囲に示された技術的思想の範囲内において、適宜、種々の変更が可能である。
【図面の簡単な説明】
【００６５】
【図１】実施の形態に係る光ディスクの構成を示す図
【図２】実施の形態に係る光ディスクのエリアフォーマットを示す図
【図３】実施の形態に係る光ディスク装置の構成を示す図
【図４】実施の形態に係るＯＰＣ時の処理フローチャートを示す図
【図５】実施の形態に係る記録レーザパワーの設定手法を説明する図
【図６】実施の形態に係る検証例を示す図
【図７】実施の形態の変更例に係るＯＰＣ時の処理フローチャートを示す図
【符号の説明】
【００６６】
１００  光ディスク（ＨＤ ＤＶＤ−Ｒ）
１０１  エンコーダ
１０２  変調回路
１０３  レーザ駆動回路
１０４  レーザパワー調整回路
１０５  光ピックアップ
１０６  信号増幅回路
１０７  復調回路
１０８  デコーダ
１０９  サーボ回路
１１０  ＡＤＩＰ再生回路
１１１  コントローラ
【図１】
2008027501.tif 000003
【図２】
2008027501.tif 000004
【図３】
2008027501.tif 000005
【図４】
2008027501.tif 000006
【図５】
2008027501.tif 000007
【図６】
2008027501.tif 000008
【図７】
2008027501.tif 000009